(57)【要約】【課題】  リングの取付けが実質的にクリップを取り付ける作業で済み、デザイン的に装飾性が高いリング付き筆記具を提供すること。【解決手段】  キャップ２にクリップ３をこれの上端部のキャップ取付部３ａを取り付けることで備えてある筆記具１において、クリップ３に、前記キャップ取付部３ａと上下対向状で且つ先端がキャップ２の筒面部２ａに近接〜接触状の突起部３ｂを突設し、この筒面部２ａとキャップ取付部３ａと突起部３ｂとの間の空間で形成される保持部４に、端部が周方向にない態様の掛止リング５の環部５ａを遊合状に保持し、当該掛止リング５内に眼鏡６のつる６ａを通して掛懸可能にしてある。【選択図】  図２
0003120849.tif 000002
【実用新案登録請求の範囲】
【請求項１】
キャップにクリップをこれの上端部のキャップ取付部を取り付けることで備えてある筆記具において、クリップに、前記キャップ取付部と上下対向状で且つ先端がキャップの筒面部に近接〜接触状の突起部を突設し、この筒面部とキャップ取付部と突起部との間の空間で形成される保持部に、端部が周方向にない態様の掛止リングの環部を遊合状に保持し、当該掛止リング内に眼鏡のつるを通して掛懸可能にしてあることを特徴とするリング付き筆記具。
【請求項２】
突起部がクリップに対して着脱可能なネジ状体であり、保持部に掛止リングを装脱可能にしてあることを特徴とする請求項１記載のリング付き筆記具。
【請求項３】
掛止リングが、環部口縁に上側のクリップ掛止凹部および／または下側のつる掛止凹部を凹設してあることを特徴とする請求項１または２記載のリング付き筆記具。
【請求項４】
掛止リングにおける少なくとも保持部に保持される環部の径断面形状を、掛止リングが保持部から垂下状に吊り下げられた状態でクリップ下端部の玉部がキャップの筒面部に接触した状態になる一方で、掛止リングが前記吊り下げ状態から斜め状あるいは水平状に引き起こされるのにともないクリップ下端部の玉部がキャップの筒面部から離れた状態になるように、保持部高さよりも高い長さの長径部と保持部高さよりも低い長さの短径部を有する環部径断面形状に形成してあることを特徴とする請求項１〜３のいずれか１項記載のリング付き筆記具。
【考案の詳細な説明】
【技術分野】
【０００１】
本考案は、眼鏡を掛け吊るすのに有用なリング付き筆記具に関する。
【背景技術】
【０００２】
特許文献１に記載されているファスナーがある。これの構成は、胸ポケットなどに差し込むペンや単独のファスナーなどの頭部に穴のあいているパーツを外向きに設けたものである。
それにより、ペンである場合には、ペンの頭部に穴の開いたパーツが横向きに突出することになり、デザイン的な違和感が大きい。また、クリップの取り付けとは別に、別体のパーツをペン頭部に取り付けることになるための製作上の負担がある。
【特許文献１】実開平３−１０１６９３
【考案の開示】
【考案が解決しようとする課題】
【０００３】
解決しようとする課題は、第１には、リングの取付けが実質的にクリップを取り付ける作業で済み、しかも、デザイン的に装飾性が高いリング付き筆記具を、第２には、さらに、眼鏡を掛懸可能なリングが容易に着脱・交換可能であるリング付き筆記具を、第３には、さらに、クリップに対するリングの収まり、リングに対する眼鏡の収まりがよいリング付き筆記具を提供することにある。
【課題を解決するための手段】
【０００４】
本考案では前記した課題を達成するため、以下の構成にしたことを特徴とする。
１．キャップにクリップをこれの上端部のキャップ取付部を取り付けることで備えてある筆記具において、クリップに、前記キャップ取付部と上下対向状で且つ先端がキャップの筒面部に近接〜接触状の突起部を突設し、この筒面部とキャップ取付部と突起部との間の空間で形成される保持部に、端部が周方向にない態様の掛止リングの環部を遊合状に保持し、当該掛止リング内に眼鏡のつるを通して掛懸可能にしてあることを特徴とする。
２．前記した１において、突起部がクリップに対して着脱可能なネジ状体であり、保持部に掛止リングを装脱可能にしてあることを特徴とする。
３．前記した１または２において、掛止リングが、環部口縁に上側のクリップ掛止凹部および／または下側のつる掛止凹部を凹設してあることを特徴とする。
４．前記した１〜３のいずれかにおいて、掛止リングにおける少なくとも保持部に保持される環部の径断面形状を、掛止リングが保持部から垂下状に吊り下げられた状態でクリップ下端部の玉部がキャップの筒面部に接触した状態になる一方で、掛止リングが前記吊り下げ状態から斜め状あるいは水平状に引き起こされるのにともないクリップ下端部の玉部がキャップの筒面部から離れた状態になるように、保持部高さよりも高い長さの長径部と保持部高さよりも低い長さの短径部を有する環部径断面形状に形成してあることを特徴とする。
【０００５】
本考案における筆記具は、万年筆、シャープペンシル、ボールペン、その他の各種の公知の筆記具が対象になる。
クリップにおけるキャップ取付部は、キャップに取り付け可能な態様のものであればよく、たとえば、実用新案登録公報第２５０２２２３号、実公平６−４０９７５号公報、その他の公知のものでよい。
上下対向状のキャップ取付部と突起部は、キャップ取付部が上位で突起部が下位である上下位置関係のものであってもよいし、反対に、キャップ取付部が下位で突起部が上位である上下位置関係のものであってもよい。この突起部は、クリップの構成材の一部で延設あるいは折曲もしくは切り起こしする等して形成してもよいし、ピン，ネジ等の別体のものを添設して形成するようにしてもよい。かかる突起部はキャップの筒面部に対して、接触していてもよいし、掛止リングが抜け外れない程度の隙間がある近接した状態であってもよい。
掛止リングは、端部が周方向にない態様のものであればよく、この端部があるＣ形リング等は除かれる。そして、掛止リングにおける上側のクリップ掛止凹部と下側のつる掛止凹部は、なくともよいし、いずれか一方があってもよいし、双方ともにあるものであってもよい。この掛止リングの材質としては金属，セラミック，プラスチック，天然石等でもよいが制限はない。
また、掛止リングは、径断面形状が、丸形、角形、これらに類する形状のものであってもよい。また、かかる径断面形状を、たとえば保持部高さよりも高い長さの長径部と保持部高さよりも低い長さの短径部を有する環部径断面形状に形成することで、掛止リングが保持部から垂下状に吊り下げられた状態でクリップ下端部の玉部がキャップの筒面部に接触した状態になる一方で、掛止リングが前記吊り下げ状態から斜め状あるいは水平状に引き起こされるのにともないクリップ下端部の玉部がキャップの筒面部から離れた状態になるようにしてもよい。
【考案の効果】
【０００６】
Ａ．請求項１により、筒面部におけるキャップ取付部と突起部との間の空間で形成される保持部に掛止リングの環部が遊合状に保持されるので、実質的にクリップをキャップに取り付ける作業で掛止リングを備えることができるし、デザイン的に装飾性が高い。
したがって、掛止リング内に眼鏡のつるを通して掛懸することができ、この掛止リングは端部が周方向にない態様であるから、リング自体に施せるデザインの自由度が高い。
Ｂ．請求項２により、さらに、突起部を着脱することで、眼鏡を掛懸可能な掛止リングが容易に着脱・交換可能である。それにより、掛止リングを外したり着けたりできるし、好みのデザインのものと交換することもできる。
Ｃ．請求項３により、さらに、クリップに対する掛止リングの収まりおよび／または掛止リングに対する眼鏡の収まりがよい。
【考案を実施するための最良の形態】
【０００７】
図１〜図３には本考案のリング付き筆記具における実施の１形態を例示しており、筆記具１のキャップ２にはクリップ３をこれの上端部のキャップ取付部３ａを取り付けることで備えてある。図面上では、キャップ取付部３ａにおける環状部３ａ１をキャップ２上端のネジ部２ｂに通した状態に押え部２ｃで着脱可能に取り付けてある。
クリップ３は、キャップ取付部３ａの下位に突起部３ｂを両者間に掛止リング５の環部５ａが遊合状に収まる間隔を空けて上下対向状に突設してある。この突起部３ｂは、ピンであり、頭部３ｂ１を押圧することでクリップ３に対して取り付けてある。突起部３ｂにおける先端部３ｂ２はキャップ２の筒面部２ａに接触しており、上下対向状のキャップ取付部３ａと突起部３ｂと両部間の筒面部２ａとの間に形成される空間を保持部４とし、この保持部４に掛止リング５の環部５ａを遊合状に保持している。
【０００８】
掛止リング５は、端部が周方向にない態様のもので、リング内に眼鏡６のつる６ａを通して掛懸可能な大きさの径に形成してある。
この掛止リング５における環部５ａの口縁には、上側のクリップ掛止凹部５ｂと下側のつる掛止凹部５ｃを上下対向状にそれぞれ凹設してある。
上側のクリップ掛止凹部５ｂの深さａおよび幅ｂは、このクリップ掛止凹部５ｂがクリップ３に掛止することで、保持部４に対して掛止リング５が回り止めされて保持される比率寸法に形成してある。
下側のつる掛止凹部５ｃの深さｃおよび幅ｄは、このつる掛止凹部５ｃに眼鏡６のつる６ａを掛懸した際に、掛止リング５に対して眼鏡６が環部５ａに沿い動かぬように回り止めされて保持される比率寸法に形成してある。
また、環部５ａにおける表面部５ａ１には、宝石等の飾り５ｄを配設することで装飾性を高めてある。
【０００９】
図４には本考案のリング付き筆記具における実施の他の１形態を例示しており、構成は前記した図１の態様のものと基本的に同一であるため、共通している構成の説明は符合を準用することで省略し、相違する構成について説明する。
（Ａ）に例示した突起部３ｃは、クリップ３の左右側縁を筒面部２ａ側に折り曲げて設けてあり、この突起部３ｃと上下対向状のキャップ取付部３ａと筒面部２ａとの間に形成される空間を保持部４とし、この保持部４に掛止リング５の環部５ａを遊合状に保持している。
（Ｂ）に例示した突起部３ｄは、クリップ３の中間部を筒面部２ａ側に側面視略く字状に折曲形成してあり、この突起部３ｄと上下対向状のキャップ取付部３ａと筒面部２ａとの間に形成される空間を保持部４とし、この保持部４に掛止リング５の環部５ａを遊合状に保持している。
【００１０】
図５には本考案のリング付き筆記具における実施の他の１形態を例示しており、構成は前記した図１の態様のものと基本的に同一であるため、共通している構成の説明は符合を準用することで省略し、相違する構成について説明する。
掛止リング５は、環部５ａの径断面形状を、保持部高さｈよりも高い長さｅの長径部５ｅと保持部高さｈよりも低い長さｆの短径部５ｆを有する正方形状に形成してあることで、掛止リング５が保持部４から垂下状に吊り下げられた状態でクリップ３下端部の玉部３ｃがキャップ２の筒面部２ａに接触した状態（図５のＡ参照）になる一方で、掛止リング５が前記吊り下げ状態から斜め状に引き起こされるのにともないクリップ３下端部の玉部３ｃがキャップ２の筒面部２ａから離れた状態（図５のＢ参照）になり、掛止リング５が前記斜め状から水平状に引き起こされるのにともないクリップ３下端部の玉部３ｃがキャップ２の筒面部２ａに接触した状態（図５のＣ参照）になるように形成してある。これにより、ポケット等への装脱が容易になるし、水平状に仮固定される掛止リング５に対して眼鏡の掛け外しが容易になる。
【００１１】
図６には本考案のリング付き筆記具における実施の他の１形態を例示しており、構成は前記した図１の態様のものと基本的に同一であるため、共通している構成の説明は符合を準用することで省略し、相違する構成について説明する。
掛止リング５は、環部５ａの径断面形状を、保持部高さｈよりも高い長さｅの長径部５ｅと保持部高さｈよりも低い長さｆの短径部５ｆを有する三角形状に形成してあることで、掛止リング５が保持部４から垂下状に吊り下げられた状態でクリップ３下端部の玉部３ｃがキャップ２の筒面部２ａに接触した状態（図６のＡ参照）になる一方で、掛止リング５が前記吊り下げ状態から斜め状に引き起こされるのにともないクリップ３下端部の玉部３ｃがキャップ２の筒面部２ａから離れた状態（図６のＢ参照）になり、掛止リング５が前記斜め状から水平状に引き起こされるのにともないクリップ３下端部の玉部３ｃがキャップ２の筒面部２ａに接触した状態（図６のＣ参照）になるように形成してある。これにより、ポケット等への装脱が容易になるし、水平状に仮固定される掛止リング５に対して眼鏡の掛け外しが容易になる。
【００１２】
図７には本考案のリング付き筆記具における実施の他の１形態を例示しており、構成は前記した図１の態様のものと基本的に同一であるため、共通している構成の説明は符合を準用することで省略し、相違する構成について説明する。
掛止リング５は、環部５ａの径断面形状を、保持部高さｈよりも高い長さｅの長径部５ｅと保持部高さｈよりも低い長さｆの短径部５ｆを有する長方形状に形成してあることで、掛止リング５が保持部４から垂下状に吊り下げられた状態でクリップ３下端部の玉部３ｃがキャップ２の筒面部２ａに接触した状態（図７のＡ参照）になる一方で、掛止リング５が前記吊り下げ状態から斜め状に引き起こされるのにともないクリップ３下端部の玉部３ｃがキャップ２の筒面部２ａから離れた状態（図７のＢ参照）になり、掛止リング５が前記斜め状から水平状に引き起こされるのにともない引き続いてクリップ３下端部の玉部３ｃが筒面部２ａから離れた状態（図７のＣ参照）になるように形成してある。これにより、ポケット等への装脱が容易になるし、水平状に仮固定される掛止リング５に対して眼鏡の掛け外しが容易になる。
【００１３】
図８には本考案のリング付き筆記具における掛止リングの他の実施例を例示しており、構成は前記した図１の態様のものと基本的に同一であるため、共通している構成の説明は符合を準用することで省略し、相違する構成について説明する。
（Ａ）に例示した掛止リング５は、環部５ａの口縁に上側のクリップ掛止凹部５ｂを凹設し、下側のつる掛止凹部５ｃは設けていない。
（Ｂ）に例示した掛止リング５は、環部５ａの口縁に下側のつる掛止凹部５ｃを凹設し、上側のクリップ掛止凹部５ｂは設けていない。
（Ｃ）に例示した掛止リング５は、環部５ａの口縁に、上側のクリップ掛止凹部５ｂと下側のつる掛止凹部５ｃを上下対向状にそれぞれ凹設してあると共につる掛止凹部５ｃの幅ｄを広幅に形成してある。
（Ｄ）に例示した掛止リング５は、上側のクリップ掛止凹部５ｂに対して下側のつる掛止凹部５ｃをほぼ１／２円状の範囲に形成してある。
（Ｅ）に例示した掛止リング５は、外郭形状を断面略蒲鉾形状に形成してある。
（Ｆ）に例示した掛止リング５は、外郭形状を断面略蒲鉾形状に形成し、筒面部２ａとの接触面部５ｇを当該筒面部２ａに沿う曲面状に凹設することで、筒面部２ａとクリップ３との間に挟持されて回り止めされるように形成してある。
（Ｇ）に例示した掛止リング５は、外郭形状を断面略蒲鉾形状に形成し、下側の凹段部５ｈの幅ｇをクリップ３幅よりも若干幅広くすることで、クリップ３に対して掛止リング５が跨るように落ち着き、この凹段部５ｆに眼鏡６のつる６ａを掛懸した際に回り止めされて保持されるように形成してある。
【図面の簡単な説明】
【００１４】
【図１】本考案のリング付き筆記具における実施の１形態を例示している要部の正面図。
【図２】要部の側面図。
【図３】掛止リングの正面図。
【図４】（Ａ）（Ｂ）は突起部の他の実施例を示す側面図。
【図５】本考案のリング付き筆記具における実施の他の１形態を例示している要部の側面図で、（Ａ）は掛止リングをおこす前の状態を、（Ｂ）は掛止リングを斜め状におこした状態を、（Ｃ）は掛止リングを水平状におこした状態を、それぞれ示している。
【図６】本考案のリング付き筆記具における実施の他の１形態を例示している要部の側面図で、（Ａ）は掛止リングをおこす前の状態を、（Ｂ）は掛止リングを斜め状におこした状態を、（Ｃ）は掛止リングを水平状におこした状態を、それぞれ示している。
【図７】本考案のリング付き筆記具における実施の他の１形態を例示している要部の側面図で、（Ａ）は掛止リングをおこす前の状態を、（Ｂ）は掛止リングを斜め状におこした状態を、（Ｃ）は掛止リングを水平状におこした状態を、それぞれ示している。
【図８】（Ａ）〜（Ｇ）は掛止リングの他の実施例を示す正面図。
【符号の説明】
【００１５】
１  筆記具
２  キャップ
２ａ  筒面部
２ｂ  ネジ部
２ｃ  押え部
３  クリップ
３ａ  キャップ取付部
３ａ１  環状部
３ｂ，３ｃ，３ｄ  突起部
３ｂ１  頭部
３ｂ２  先端部
４  保持部
５  掛止リング
５ａ  環部
５ａ１  表面部
５ｂ  クリップ掛止凹部
５ｃ  つる掛止凹部
５ｄ  飾り
５ｅ  長径部
５ｆ  短径部
５ｇ  接触面部
５ｈ  凹段部
ａ，ｃ  深さ
ｂ，ｄ，ｇ  幅
ｅ，ｆ  長さ
ｈ  保持部高さ
６  眼鏡
６ａ  つる
【図１】
0003120849.tif 000003
【図２】
0003120849.tif 000004
【図３】
0003120849.tif 000005
【図４】
0003120849.tif 000006
【図５】
0003120849.tif 000007
【図６】
0003120849.tif 000008
【図７】
0003120849.tif 000009
【図８】
0003120849.tif 000010